(57)【要約】      （修正有）【課題】ＭＭＥ／ＳＧＳＮ（再）選択及び／又はＤＥＣＯＲのＮＡＳメッセージ再ルーティングの機能を効率的に行う通信システムを提供する。【解決手段】遠距離通信ネットワーク１において、コアネットワークのデフォルトＭＭＥが、関連付けられた使用タイプを有する移動デバイスへの通信接続をセットアップする要求を、基地局から受信すると、この要求に応答して、要求が再ルーティングされるべき専用ＭＭＥを識別するメッセージを基地局に送信する。専用ＭＭＥは、移動デバイスに関連付けられた使用タイプに対応するサポートサービスタイプを有する。基地局は、応答をデフォルトＭＭＥに送信する。この応答は、専用ＭＭＥへの再ルーティングが成功したのか又は例えば、専用ＭＭＥの過負荷に起因して成功していなかったのかを示す。再ルーティングが成功していなかった場合、デフォルトＭＭＥは、専用ＭＭＥの代わりに移動デバイスのサービングを試みる。【選択図】図１
2020162151.tif 000002
【特許請求の範囲】
【請求項１】
セルを運用する通信装置にradio resource control (RRC)メッセージを送信するトランシーバ回路を有し、
前記RRCメッセージは、前記通信装置がコアネットワークノードを選択するときに使用する情報を含み、
前記情報は、前記通信装置によってinitial user equipment(UE)メッセージを用いて前記コアネットワークノードに送信され、
前記コアネットワークノードは、端末装置がサポートするサービスをサポートする、
端末装置。
【請求項２】
前記情報は、low access priority indication(LAPI)またはconnection establishment causeの少なくとも一方を含む、
請求項１に記載の端末装置。
【請求項３】
前記情報は、UE usage typeに関連付けられたrandom access preambleを含む、
請求項１または２に記載の端末装置。
【請求項４】
前記トランシーバ回路は、前記通信装置から、前記コアネットワークノードがサポートするサービスタイプを識別する情報及び前記サービスタイプに関連付けられた、random access preambleのセットを受信し、
前記端末装置が伝送に使用するpreambleを、受信した前記サービスタイプを識別する情報及び前記random access preambleのセットに基づいて選択するコントローラをさらに有する、
請求項１から３のいずれか１項に記載の端末装置。
【請求項５】
端末装置により実行される方法であって、
セルを運用する通信装置にradio resource control(RRC)メッセージを送信し、
前記RRCメッセージは、前記通信装置がコアネットワークノードを選択するときに使用する情報を含み、
前記情報は、前記通信装置によって、initial user equipment(UE)メッセージを用いて前記コアネットワークノードに送信され、
前記コアネットワークノードは、前記端末装置がサポートするサービスをサポートする、
方法。
【請求項６】
セルを運用する通信装置であって、
端末装置からradio resource control(RRC)メッセージを受信し、コアネットワークノードにinitial user equipment(UE)メッセージを送信するトランシーバ回路を有し、
前記RRCメッセージは、前記通信装置が前記コアネットワークノードを選択するときに使用する情報を含み、
前記initial UEメッセージは前記情報を含み、
前記コアネットワークノードは、前記端末装置がサポートするサービスをサポートする、
通信装置。
【請求項７】
前記情報は、low access priority indication(LAPI)またはconnection establishment causeの少なくともどちらか一方を含む、
請求項６に記載の通信装置。
【請求項８】
前記情報は、UE usage typeに関連付けられたrandom access preambleを含む、
請求項６または７に記載の通信装置。
【請求項９】
前記コアネットワークノードがサポートするサービスタイプを識別する情報及び前記サービスタイプに関連付けられたrandom access preambleのセットを前記端末装置に送信する、
請求項６から８のいずれか１項に記載の通信装置。
【請求項１０】
セルを運用する通信装置により実行される方法であって、
端末装置からradio resource control(RRC)メッセージを受信し、
前記RRCメッセージは、前記通信装置がコアネットワークノードを選択するときに使用する情報を含み、
前記情報をinitial user equipment(UE)メッセージを用いて前記コアネットワークノードに送信し、
前記コアネットワークノードは、前記端末装置がサポートするサービスをサポートする、
方法。
【発明の詳細な説明】
【技術分野】
【０００１】
本発明は、通信システムに関する。本発明は、限定ではないが特に、ユニバーサル陸上無線アクセスネットワーク（ＵＴＲＡＮ）、及びＬＴＥアドバンストを含む、ＵＴＲＡＮのロングタームエボリューション（ＬＴＥ）（Ｅ−ＵＴＲＡＮ）等の、第３世代パートナーシッププロジェクト（３ＧＰＰ）規格又はその均等物又は派生物に従って動作する無線通信システム及びそのデバイスに関する。本発明は、限定ではないが特に、専用コアネットワークを用いることに関連する。
【背景技術】
【０００２】
３ＧＰＰ規格の下では、「ＮｏｄｅＢ」（又はＬＴＥにおける「ｅＮＢ」）は、複数の移動デバイスがコアネットワークに接続し、他の複数の移動デバイス又は複数の遠隔サーバと通信する際に介する基地局である。これができるようになるには、複数の移動デバイスは、サービング基地局とのいわゆる無線リソース制御（ＲＲＣ）接続を確立する。簡単にするために、本出願は、任意のそのような複数の基地局を指すために基地局という用語を用いる。複数の通信デバイスは、例えば、複数の移動電話機、複数のスマートフォン、ユーザ機器、複数の携帯情報端末、複数のラップトップコンピュータ、複数のウェブブラウザ等の複数の移動通信デバイスであってよい。３ＧＰＰ規格は、（概ね）固定式の機器の一部として実装され得る、複数のＷｉ−Ｆｉルータ、複数のモデム等の非移動ユーザ機器をネットワークに接続することも可能にする。簡単にするために、本出願は、明細書において複数の移動通信デバイス（又は複数の移動デバイス）に言及するが、記載の技術は、そのようなコアネットワークに接続することができる任意の移動機器及び「非移動」機器において実施することができることが分かるだろう。
【０００３】
３ＧＰＰ規格の下では、複数の基地局は、コアネットワーク（ＬＴＥにおいて発展型パケットコア（ＥＰＣ）ネットワークと呼ばれる）に結合される。複数の移動デバイスを追跡し、異なる複数の基地局間の移動を容易にするために、コアネットワークは、コアネットワークに結合された複数の基地局と通信する複数の移動管理装置（ＭＭＥ）から成る。複数の移動デバイスとそれらの関連付けられたＭＭＥとの間の通信は、（サービング基地局を介した）非アクセス層（ＮＡＳ）シグナリングを用いて行われる。幾つかのコアネットワークでは、移動デバイスによって用いられる無線アクセス技術（ＲＡＴ）に依拠して、サービングＧＰＲＳサポートノード（ＳＧＳＮ）をＭＭＥの代わりに用いてもよい。
【０００４】
３ＧＰＰ規格の最新の開発成果は、ＥＰＣネットワーク及びＥ−ＵＴＲＡ（進化型ＵＭＴＳ陸上無線アクセス）ネットワークのロングタームエボリューション（ＬＴＥ）と呼ばれる。ＬＴＥ（及びより最近ではＬＴＥアドバンスト、すなわち「ＬＴＥ−Ａ」）は、複数の移動デバイス等のユーザ機器（ＵＥ）が、複数の専用コアネットワークノード（複数の専用ＭＭＥ等）を用いてコアネットワークに効率的に接続することを可能にする。このいわゆる「専用コアネットワーク」（ＤＥＣＯＲ）の特徴の詳細は、３ＧＰＰ技術報告書（ＴＲ）２３．７０７（Ｖ１３．０．０）及び３ＧＰＰ文書第Ｓ２−１５２１０７号に論述されている。この後者の３ＧＰＰ文書は、３ＧＰＰ技術仕様書（ＴＳ）第２３．４０１号のバージョン１３．２．０に関係している。
【０００５】
要約すると、ＤＥＣＯＲ特徴は、ネットワーク事業者が、そのネットワーク内で（共通の（すなわち、非専用）コアネットワークに沿って）複数の専用コアネットワーク（ＤＣＮ）を配置することを可能にする。各ＤＣＮは、特定のタイプ（ら）の加入者及び／又は特定のタイプ（ら）のサービスをサービングすることに専用にされてよい。複数のＤＣＮは任意選択であり、ＧＥＲＡＮ（ＧＳＭ（登録商標）  ＥＤＧＥ無線アクセスネットワーク）、ＵＴＲＡＮ及び／又はＥ−ＵＴＲＡＮ等の様々なタイプの無線アクセス技術（ＲＡＴ）について選択的に配置され得る。例えば、ネットワーク事業者は、（Ｅ−ＵＴＲＡＮをサポートするために）複数の専用ＭＭＥを配置し、複数の専用ＳＧＳＮを配置しない（このため、ＧＥＲＡＮ／ＵＴＲＡＮをサポートしない）場合もあるし、逆もまた同様である。ＤＥＣＯＲを配置する動機は、中でも、特定の複数の特性／複数の機能又はスケーリングを用いて複数のＤＣＮを提供し、特定の複数のＵＥ又は複数の加入者（例えば、複数のマシンツーマシン（Ｍ２Ｍ）加入者、特定の企業又は別個の管理ドメインに属する複数の加入者、移動仮想ネットワーク事業者（ＭＶＮＯ）に属する複数の加入者等）を、他の複数のＵＥ又は複数の加入者等から切り離すことを含んでよい。
【０００６】
一方、そのような異なるグループの顧客及びデバイスは、複数の特徴、複数のトラフィック特性、利用可能性、輻輳管理、シグナリング及びユーザプレーンデータ使用等の観点において、異なる要件を有するかもしれない。複数の専用／特殊コアネットワーク要素／リソースを含む複数のＤＣＮは、複数の事業者がそのようなデバイス／顧客グループの要件を満たすのを助けることができる。複数のＤＣＮは、ネットワーク利用可能性及び／又は冗長性要件を満たすことに寄与してもよく、特定のユーザ又はトラフィックタイプのための独立したスケーリング又は特殊機能のプロビジョニング、並びに様々なタイプのユーザ及びトラフィックの互いからの分離を容易にする。
【０００７】
各ＤＣＮは１つ以上のＭＭＥ／ＳＧＳＮから成り、適宜、１つ以上のサービングゲートウェイ（Ｓ−ＧＷ）、パケットデータネットワーク（ＰＤＮ）ゲートウェイ（Ｐ−ＧＷ）及び／又はポリシー及び課金ルール機能（ＰＣＲＦ）から成ってよい。各加入者を、それぞれの加入情報（「ＵＥ使用タイプ」）に基づいて、ＤＣＮに割り当て、このＤＣＮによってサービングすることができる。複数のＤＣＮを配置する複数のネットワークは、ＤＣＮが利用可能でない複数のＵＥを管理するためのデフォルトＤＣＮ（又は共通コアネットワークのデフォルトコアネットワークノード）及び／又はＵＥを特定のＤＣＮに割り当てるために十分な情報（例えば、関連付けられたＵＥ使用タイプ）が利用可能でない場合に複数のＵＥを管理するデフォルトＤＣＮを有することができる。全てが同じＲＡＮを共有する１つ以上のＤＣＮをデフォルトＤＣＮ（又はデフォルトコアネットワークノード）とともに配置してもよい。
【０００８】
特定のＵＥ機能を必要としない、加入者ごとに１つのＵＥ使用タイプが存在する。すなわち、このＵＥは、以前の標準リリースに準拠したＵＥとも機能する。同様に、従来の複数のＭＭＥの場合、例えば、ハンドオーバ、負荷バランス、初期ネットワークアタッチメント等の間に、ＵＥコンテキストを或る（ソース）ＭＭＥ／ＳＧＳＮから別の（ターゲット）ＭＭＥ／ＳＧＳＮに移動させることが可能である。複数のＤＣＮをサポートするＭＭＥ／ＳＧＳＮが、ＵＥのためのターゲットＭＭＥ／ＳＧＳＮを選択するとき、このターゲットＭＭＥ／ＳＧＳＮの選択は、（ＵＥ使用タイプに起因して）同じＤＣＮに制限される。
【０００９】
３ＧＰＰ作業項目（ＷＩ）文書第ＲＰ−１５１０４８号は、いわゆるＮＡＳノード選択機能（ＮＮＳＦ）及びＤＥＣＯＲのＭＭＥ／ＳＧＳＮ（再）選択機能のシグナリングサポートを論述している。さらに、第Ｓ２−１５２１０７号は、ＮＡＳメッセージが、ＵＥ使用タイプに基づいて、或るＭＭＥ／ＳＧＳＮ（例えば、デフォルトＭＭＥ／ＳＧＳＮ）から専用ＭＭＥ／ＳＧＳＮにリダイレクトされる、可能なＮＡＳメッセージリダイレクション手順を記載している。これは、例えば、ＵＥが、コアネットワークへの接続を最初に試み、このＵＥに関連付けられたＵＥ使用タイプをサポートしていないコアネットワークにおけるデフォルトＭＭＥ（ＵＥのサービング基地局によってＵＥのために選択される）との接続を確立すると、必要となり得る。したがって、ＮＡＳメッセージリダイレクションは、ＵＥのＮＡＳメッセージを専用ＭＭＥ／ＳＧＳＮに再ルーティングする要求をＵＥのサービング基地局に送信することによって、ＵＥの現在選択されている（例えば、デフォルト）サービングＭＭＥ／ＳＧＳＮによって開始される。この要求は、そのＵＥ使用タイプに割り当てられているＤＣＮに対応するパラメータ（例えば、ＭＭＥグループの識別子）を含む。サービング基地局は、ＵＥのＮＡＳメッセージを専用ＭＭＥ／ＳＧＳＮに再ルーティングする要求を受信すると、受信したパラメータに対応する適した専用ＭＭＥ／ＳＧＳＮを選択するＮＮＳＦ手順を実行し、ＮＡＳメッセージ（例えば、いわゆる「初期ＵＥメッセージ」）を選択した専用ＭＭＥ／ＳＧＳＮに転送する。これによって、専用ＭＭＥ／ＳＧＳＮは、ＵＥの新たなサービングＭＭＥ／ＳＧＳＮとして確立される。
【００１０】
そのようなＮＡＳメッセージリダイレクション（及び／又はＭＭＥ／ＳＧＳＮ再選択）は、負荷バランス目的（例えば、過負荷を有するＭＭＥ／ＳＧＳＮ又は比較的高い負荷を有するＭＭＥ／ＳＧＳＮから比較的低い負荷を有する別のＭＭＥ（ら）／ＳＧＳＮ（ら）に加入者を移動させる）にも必要とされる場合がある。
【発明の概要】
【発明が解決しようとする課題】
【００１１】
しかしながら、本発明者らは、ＭＭＥ／ＳＧＳＮ（再）選択及び／又はＤＥＣＯＲのＮＡＳメッセージ再ルーティングの機能の現行の手順が非効率的であり、その結果、誤ったＭＭＥ／ＳＧＳＮにおいて誤った時点にＵＥコンテキストの不要なシグナリング及び／又は作成／維持をもたらし得ることを認識している。
【００１２】
したがって、本発明の好ましい実施形態は、上記の問題のうちの少なくとも幾つかを克服するか又は少なくとも部分的に緩和する方法及び装置を提供することを目的とする。
【課題を解決するための手段】
【００１３】
当業者の理解の効率のために、本発明を、３ＧＰＰシステム（ＵＭＴＳ、ＬＴＥ）と文脈で詳細に説明するが、本発明の原理は、複数の専用コアネットワークノードを用いて複数の移動デバイス又はユーザ機器（ＵＥ）がシステムにアクセスする、他のシステムに適用され得る。
【００１４】
一態様において、本発明は、通信ネットワークへの通信アクセスを提供する通信装置であって、関連付けられた通信セル内に位置する少なくとも１つの通信デバイスの、該通信装置を介した通信を制御するように適合されたコントローラと；前記関連付けられた通信セル内の前記少なくとも１つの通信デバイスと通信するように動作可能であるとともに、複数の移動管理装置（ＭＭＥ）と通信するように動作可能であるトランシーバと；を備え、前記トランシーバは、関連付けられた使用タイプを有する通信デバイスから、該通信装置を介した通信接続を確立するシグナリングを受信し；前記通信接続をセットアップするシグナリングをデフォルトＭＭＥに送信し；前記通信接続をセットアップする前記シグナリングに応答して、前記デフォルトＭＭＥから、前記通信接続をセットアップする前記シグナリングが再ルーティングされるべき専用ＭＭＥであって、前記通信接続を確立するシグナリングを送信した前記通信デバイスに関連付けられた前記使用タイプに対応する少なくとも１つのサポートサービスタイプを有する、前記専用ＭＭＥを識別するメッセージを受信する；ように動作可能であり、前記コントローラは、前記専用ＭＭＥが、前記通信接続を確立するシグナリングを送信した前記通信デバイスをサービングするのに適しているか否かを判断するように動作可能であり、前記トランシーバは、前記専用ＭＭＥが前記通信デバイスをサービングするのに適しているか否かの前記判断に基づいて、（ａ）前記専用ＭＭＥへの再ルーティングが不成功であることと、（ｂ）前記専用ＭＭＥへの再ルーティングが成功していることとの一方を示す応答を前記デフォルトＭＭＥに送信するように動作可能である、通信装置を提供する。
【００１５】
一態様において、本発明は、通信ネットワークへの通信アクセスを提供する通信装置であって、関連付けられた通信セル内に位置する少なくとも１つの通信デバイスの、該通信装置を介した通信を制御するように適合されたコントローラと；前記関連付けられた通信セル内の前記少なくとも１つの通信デバイスと通信するように動作可能であるとともに、少なくとも１つの移動管理装置（ＭＭＥ）と通信するように動作可能であるトランシーバと；を備え、前記少なくとも１つのＭＭＥは、少なくとも１つのサポートサービスタイプを有し、該少なくとも１つのサポートサービスタイプに対応する使用タイプを有する通信デバイスをサービングすることに専用化され、前記トランシーバは、前記少なくとも１つのＭＭＥのそれぞれについて、該ＭＭＥに関連付けられたグループを識別するそれぞれの情報と、該ＭＭＥの前記少なくとも１つのサポートサービスタイプを識別するそれぞれの情報とを受信するように動作可能である、通信装置を提供する。
【００１６】
一態様において、本発明は、通信デバイスであって、該通信デバイスに関連付けられた使用タイプを識別する情報を保持するように構成されたメモリと；セルを運用する通信装置との該通信デバイスの通信を制御するように適合されたコントローラと；移動管理装置（ＭＭＥ）との通信接続を確立するシグナリングであって、該通信デバイスに関連付けられた前記使用タイプを識別する情報から成る、前記通信接続を確立するシグナリングを前記通信装置に送信するように動作可能なトランシーバと；を備える、通信デバイスを提供する。
【００１７】
一態様において、本発明は、通信ネットワークの移動管理装置（ＭＭＥ）であって、該ＭＭＥは、デフォルトＭＭＥとして動作するように構成され、通信セルを運用する通信装置と通信するように動作可能であるとともに、該通信セル内の少なくとも１つの通信デバイスと通信するように動作可能であるトランシーバを備え、前記トランシーバは、関連付けられた使用タイプを有する通信デバイスへの通信接続をセットアップするシグナリングを、前記通信装置から受信し；前記通信接続をセットアップする前記シグナリングに応答して、前記通信接続をセットアップする前記シグナリングが再ルーティングされるべき専用ＭＭＥであって、通信接続を確立するシグナリングを送信した前記通信デバイスに関連付けられた前記使用タイプに対応する少なくとも１つのサポートサービスタイプを有する、前記専用ＭＭＥを識別するメッセージを、前記通信装置に送信し；（ａ）前記専用ＭＭＥへの再ルーティングが不成功であることと、（ｂ）前記専用ＭＭＥへの再ルーティングが成功していることとの一方を示す応答を、前記通信装置から受信する；ように動作可能である、ＭＭＥを提供する。
【００１８】
一態様において、本発明は、通信ネットワークの移動管理装置（ＭＭＥ）であって、該ＭＭＥは、専用ＭＭＥとして動作するように構成され、通信セルを運用する通信装置と通信するように動作可能であるとともに、該通信セル内の少なくとも１つの通信デバイスと通信するように動作可能であるトランシーバと；該ＭＭＥが少なくとも１つのサポートサービスタイプに対応する使用タイプを有する通信デバイスについてサポートするように構成された前記少なくとも１つのサポートサービスタイプを識別する情報を取得するように動作可能なコントローラと；を備え、前記トランシーバは、該ＭＭＥに関連付けられたグループを識別する情報と、該ＭＭＥによってサポートされる少なくとも１つのサービスタイプを識別する情報とを前記通信装置に送信するように動作可能である、ＭＭＥを提供する。本発明の態様は、対応するシステム、方法、並びに上記で示した又は特許請求の範囲において記載される態様及び可能な形態において記載されるような方法を実行するようにプログラマブルプロセッサをプログラムするように、及び／又は特許請求の範囲のいずれかの請求項において記載される装置を提供するように適切に構成されたコンピュータをプログラムするように動作可能である命令が記憶されたコンピュータ可読記憶媒体等のコンピュータプログラム製品にまで及ぶ。
【００１９】
本明細書（特許請求の範囲を含む）において開示され、及び／又は図面において示される各特徴は、開示され、及び／又は図示される任意の他の特徴から独立して（又はそれらと組み合わせて）本発明に組み込まれてよい。詳細には、限定はしないが、特定の独立請求項に従属する請求項のうちのいずれかの特徴は、任意の組み合わせにおいて又は個々に、その独立請求項に取り込まれてよい。
【００２０】
ここで、本発明の実施形態を、例として、添付の図面を参照しながら説明する。
【図面の簡単な説明】
【００２１】
【図１】本発明の実施形態が適用されえるセルラ遠距離通信システムを概略的に示す図である。
【図２】図１に示すシステムの一部を形成する移動デバイスのブロック図である。
【図３】図１に示すシステムの一部を形成する基地局のブロック図である。
【図４】図１に示すシステムの一部を形成する移動管理エンティティのブロック図である。
【図５】本発明の第１の実施形態を実施する一例示的な手順を示すタイミング図である。
【図６】本発明の第２の実施形態を実施する一例示的な手順を示すタイミング図である。
【図７】本発明の第２の実施形態を実施する別の例示的な手順を示すタイミング図である。
【図８】本発明の第３の実施形態を実施する一例示的な手順を示すタイミング図である。
【図９】本発明の第３の実施形態を実施する別の例示的な手順を示すタイミング図である。
【発明を実施するための形態】
【００２２】
概要
図１は、複数の移動デバイス３Ａ〜３Ｄの複数のユーザが、複数のＥ−ＵＴＲＡＮ基地局５Ａ、５Ｂを介して互いに及び他の複数のユーザと通信し、Ｅ−ＵＴＲＡ無線アクセス技術（ＲＡＴ）を用いてコアネットワーク７と通信することができる、移動（セルラ）遠距離通信ネットワーク１を概略的に示す。当業者であれば、説明の目的で図１には４つの移動デバイス３及び２つの基地局５が示されているが、システムが、実施時に通常、他の基地局及び移動デバイスを含だろうことが分かるだろう。
【００２３】
よく知られているように、移動デバイス３は、遠距離通信ネットワーク１によってカバーされている地理的エリア内で動き回っているときに、基地局５によってサービングされている複数のエリア（すなわち、複数の無線セル）を出入りするかもしれない。移動デバイス３の経過を追跡するとともに、異なる基地局５の間の移動を容易にするために、コアネットワーク７は、複数の移動管理装置（ＭＭＥ）９Ａ〜９Ｄを備える。これらのＭＭＥのうち、ＭＭＥ９Ａ〜９Ｃは、共通のＭＭＥであり（すなわち、どの特定のＵＥ使用タイプにも関連付けられていないか、又は、全てのＵＥ使用タイプに関連付けられている）、ＭＭＥ９Ｄは、専用ＭＭＥである（すなわち、１つ以上の特定のＵＥ使用タイプに関連付けられている）。したがって、図示されるように、ＭＭＥ９Ｄは、ＤＣＮ７Ｄの一部をなす一方、他のＭＭＥ９Ａ〜９Ｃは、主（又は共通）コアネットワーク７の一部をなす。その上、ＭＭＥ９Ａは、（例えば、コアネットワーク７に最初に接続するとき及び／又は他のＭＭＥが利用不能であるときに）複数の移動デバイス３のデフォルトＭＭＥとして動作するように構成されている。このように、そのようなデフォルトＭＭＥを設けることは、サービス停止のリスク低減に役立つ。
【００２４】
複数のＭＭＥ９は、コアネットワーク７に結合された複数の基地局５と通信する。コアネットワーク７は、ＨＳＳ１１、並びにサービングゲートウェイ（Ｓ−ＧＷ）１８及び／又はパケットデータネットワークゲートウェイ（Ｐ−ＧＷ）１９等の１つ以上のゲートウェイも備える。
【００２５】
複数の移動デバイス３及びそれらのそれぞれの複数のサービング基地局５は、ＬＴＥエアインターフェース、いわゆる「Ｕｕ」インターフェースを介して接続される。複数の基地局５は、いわゆる「Ｘ２」インターフェースを介して互いに接続される。各基地局５は、いわゆる「Ｓ１」インターフェースを介してコアネットワーク７の複数のノード（すなわち、ＭＭＥ９及びＳ−ＧＷ１８）にも接続される。コアネットワーク７から、インターネット等の外部ＩＰネットワーク２０への接続も、Ｐ−ＧＷ１９を介して提供される。図１には示されていないが、ＭＭＥ９は、それぞれの３ＧＰＰインターフェースを介してＨＳＳ１１及びゲートウェイ１８、１９にも接続される。
【００２６】
各移動デバイス３について、ＨＳＳ１１は、３ＧＰＰ加入者がネットワーク１にアクセスするのに必要とされる設定データ及び加入データ、関連付けられたサービスタイプ（ら）及びサービスプリファレンス、対応する加入者グループ（ら）を識別する情報等の、関係のある加入データを記憶する。具体的には、ＨＳＳ１１は、各加入者（各移動デバイス３）について、その加入者の適切なＭＭＥ９の選択において用いることができる加入情報パラメータ「ＵＥ使用タイプ」を記憶する。各サポートされたＵＥ使用タイプについて、ネットワーク事業者は、一組（１つ以上）の関連付けられたＭＭＥ９（又はＤＣＮ）を構成する。ただし、適切な場合には、各ＭＭＥ９（又はＤＣＮ）を２つ以上のＵＥ使用タイプに関連付けてもよく、及び／又は、デフォルトＭＭＥ９を、専用ＭＭＥ９Ｄ及び／又は専用コアネットワーク７Ｄを有しない、ＵＥ使用タイプに関連付けてもよいことが分かるだろう。
【００２７】
このシステムでは、移動デバイス３Ｄに関連付けられた加入は、ＭＭＥ９Ｄに関連付けられたＵＥ使用タイプに対応するＵＥ使用タイプを有する。換言すれば、ＭＭＥ９Ｄは、移動デバイス３Ｄの専用コアネットワーク７Ｄの一部をなすコアネットワークノードである。したがって、コアネットワーク７は、可能な限り、移動デバイス３Ｄがこの専用コアネットワーク７Ｄによってサービングされることを保証している。これを行うために、ＨＳＳ１１（又は移動デバイス３の以前のＭＭＥ９）は、移動デバイス３が、基地局５によって（初期）選択されたＭＭＥ９との接続の確立を最初に試みるときに、移動デバイス３に関連付けられたＵＥ使用タイプをその選択されたＭＭＥ９に提供する。
【００２８】
図１に図示していないが、専用ＭＭＥ９Ｄは、移動デバイス３Ｄの関連付けられた専用のＳ−ＧＷ及びＰ−ＧＷを、そのＵＥ使用タイプに基づいて選択するように構成されている。
【００２９】
この例では、基地局５は、各接続されたＭＭＥ９のサポートされたサービスタイプ（ら）についての情報をＭＭＥ９から取得するように構成されているので有利である。例えば、基地局５Ｂは、この情報を、当該基地局５ＢとＭＭＥ９Ｄとの間のＳ１接続を構成する初期セットアップ手順中に及び／又はＭＭＥ９Ｄが再構成されるその後の任意の時点で、適したＳ１シグナリング（「Ｓ１セットアップ応答（S1 setup response）」メッセージ、「ＭＭＥ構成更新（MME configuration update）」メッセージ等）を用いて取得する。
【００３０】
さらに、この例では、複数の基地局５は、これらの基地局によってサービングされる各移動デバイス３について、その特定の移動デバイス３に関連付けられたそれぞれのＵＥ使用タイプについての情報も取得するように構成されている。有利には、この例では、基地局５Ｂは、この情報を、（例えば、その特定の移動デバイス３のいずれかのＮＮＳＦ手順を実行する前に）移動デバイス３から直接取得するか、又は、その特定の移動デバイス３を現在サービングしている（又はサービングするように初期選択された）ＭＭＥ９Ａから（例えば、「ＮＡＳメッセージ再ルーティング要求（Reroute NAS message request）」メッセージ、「ダウンリンクＮＡＳトランスポート（Downlink NAS transport）」メッセージ等における「ＵＥ使用タイプ」情報要素から）明示的に取得するように構成されている。基地局５Ｂが、移動デバイス３Ｄに関連付けられたＵＥ使用タイプをその移動デバイス３Ｄから直接取得する場合、このＵＥ使用タイプは、（例えば、どのランダムアクセスプリアンブルが移動デバイス３Ｄによって用いられているのかを判断することによる）暗黙的なシグナリングを用いて取得されてよいし、（例えば、低アクセス優先度表示手順等を用いた）明示的なシグナリングを用いて取得されてもよい。
【００３１】
基地局５は、この例では、各接続されたＭＭＥ９の可用性についての情報（例えば、特定のＭＭＥが過負荷であることを識別する情報及び／又は各ＭＭＥに関する相対負荷を識別する情報）も取得して記憶するように構成されている。各ＭＭＥ９のこの可用性情報は、通常、そのＭＭＥ９の任意の特定のサポートされたサービスタイプ（ら）（すなわち、複数のＵＥ使用タイプ）に関する情報に関連付けて取得及び記憶される。したがって、ＵＥ使用タイプに関する情報、ＭＭＥサポートサービスタイプに関する情報、及び各接続されたＭＭＥ９（存在する場合）の可用性に関する情報を用いて、基地局５Ｂは、不要なシグナリングを用いることなく、移動デバイス３Ｄの適切な専用ＭＭＥ（この例では、利用可能である場合のＭＭＥ９Ｄ）を選択することができる。一方、特定のＭＭＥ９が、例えば、過負荷等に起因して利用可能でないとき、移動デバイス３ＤのＵＥ使用タイプが、選択したＭＭＥ９Ａ又は９Ｃに関連付けられたサポートされるＵＥ使用タイプ（ら）と異なる場合があるとしても、基地局５Ｂは、デフォルトＭＭＥ９Ａ（又は適切な共通のＭＭＥ９Ｃ）を選択して、その移動デバイス３Ｄを登録することができる。これを行うために、基地局５Ｂは、ＭＭＥ９Ａ又は９Ｃへのそのメッセージに、関連付けられた専用ＭＭＥ９Ｄが（一時的に）過負荷である／それ以外で利用不能であることの指示情報も含める。
【００３２】
現在選択したＭＭＥ９Ａ又は９Ｃが、移動デバイス３Ｄから対応する専用ＭＭＥ９ＤへのＮＡＳメッセージの再ルーティングを試みるときであっても、基地局５Ｂは、専用ＭＭＥ９Ｄが（例えば、過負荷に起因して）（引き続き）利用不能であることを要求側ＭＭＥ９Ａ又は９Ｃに応答することができるので有利である。この場合、基地局５Ｂによって提供されるこの指示情報は、移動デバイス３Ｄが適切でない（すなわち、非専用）ＭＭＥ９に現在登録されていても、要求側ＭＭＥ９Ａ又は９Ｃが、移動デバイス３Ｄについて保持されたあらゆるＵＥコンテキストを削除することを防止し、それによって、サービス連続性を確保するので有利である。
【００３３】
そのような応答を、ＮＡＳメッセージの再ルーティングを要求するＭＭＥ９に送信することを容易にするために、再ルーティング要求を行うＭＭＥ９は、送信されると自動的に成功とみなされるメッセージ（例えば、ＬＴＥにおけるいわゆる「クラス２」メッセージ）ではなく、応答を要求するメッセージ（例えば、ＬＴＥにおけるいわゆる「クラス１」メッセージ）を用いるように適合されているので有利である。応答を要求するそのようなメッセージは、別のＭＭＥ９への再ルーティングが成功したか否かにかかわらず、応答（例えば、適宜、成功又は失敗を示す肯定的応答指示情報又は否定的応答指示情報）を必要としてよい。一方、応答を要求するそのようなメッセージは、成功を示す「成功」指示情報を必要とするとともに所定の時間期間が満了した後は失敗と仮定するメッセージであってもよいし、失敗を示す「失敗」指示情報を必要とするとともに所定の時間期間が満了した後は成功と仮定するメッセージであってもよい。
【００３４】
要約すれば、このシステムにおける複数の基地局は、専用ＭＭＥが過負荷である（又はそれ以外で利用不能である）ことを複数のＭＭＥに通知することができるので有利である。例えば、サービング基地局が、専用ＭＭＥが過負荷であることをデフォルトＭＭＥに示すと、このデフォルトＭＭＥは、（移動デバイスを拒否するのではなく）移動デバイスを、関連付けられたＵＥ使用タイプにかかわらずにサービングすることを試みてよい。その上、基地局によって初期選択されたいずれの中間（例えば、デフォルト）ＭＭＥも、移動デバイスのＮＡＳメッセージの再ルーティングを試みる際に、（関連付けられたＵＥコンテキストが、移動デバイスに関連付けられたＵＥ使用タイプに適切でない場合であっても）移動デバイスの専用ＭＭＥが利用可能であることが確実になるまで、関連付けられたＵＥコンテキストを保持するように構成されているので有利である。
【００３５】
移動デバイス
図２は、図１に示される複数の移動デバイス３のうちの１つの移動デバイスの複数の主要コンポーネントを示すブロック図である。示されるように、移動デバイス３は、１つ以上のアンテナ３３を介して、基地局５に対し信号を送受信するように動作可能であるトランシーバ回路３１を有する。移動デバイス３は、移動デバイス３の動作を制御するコントローラ３７を有する。コントローラ３７はメモリ３９に関連付けられ、トランシーバ回路３１に結合される。図２には必ずしも示されていないが、移動デバイス３は当然ながら、従来の移動デバイス３の全ての通常機能（ユーザインターフェース３５等）を有し、これは適宜、ハードウェア、ソフトウェア及びファームウェアのうちの任意の１つ又は任意の組み合わせによって提供されてよい。ソフトウェアはメモリ３９にプレインストールされてよく、及び／又は、例えば、遠距離通信ネットワークを介して若しくは取り外し可能なデータストレージデバイス（ＲＭＤ）からダウンロードされてよい。
【００３６】
コントローラ３７は、この例では、メモリ３９内に記憶されたプログラム命令又はソフトウェア命令によって移動デバイス３の全体動作を制御する。示されるように、これらのソフトウェア命令は、中でも、オペレーティングシステム４１と、通信制御モジュール４３と、ＲＲＣモジュール４４と、ＮＡＳモジュール４５と、使用タイプ関連付けモジュール４９とを含む。
【００３７】
通信制御モジュール４３は、移動デバイス３と基地局５との間の通信を制御する。通信制御モジュール４３は、基地局５と（基地局５を介して）ＭＭＥ９及び／又はＳ−ＧＷ１８等の他のノードとに送信される制御データ及び（アップリンク及びダウンリンクのための）ユーザデータの別個のフローをも制御する。
【００３８】
ＲＲＣモジュール４４は、ＲＲＣ規格に従ってフォーマットされた複数のシグナリングメッセージを生成、送信及び受信するように動作可能である。例えば、そのような複数のメッセージは、移動デバイス３とそのサービング基地局５との間で交換される。複数のＲＲＣメッセージは、例えば、ランダムアクセス手順に関する複数のメッセージ及び／又はサービング基地局５によってＭＭＥ９に中継される制御データ（例えば、ＮＡＳメッセージ）をから成る複数のＲＲＣメッセージから成ってよい。
【００３９】
ＮＡＳモジュール４５は、ＮＡＳプロトコルに従ってフォーマットされた複数のシグナリングメッセージを生成、送信及び受信するように動作可能である。例えば、そのような複数のメッセージは、移動デバイス３と複数のＭＭＥ９との間で（複数の基地局５を介して）交換される。複数のＮＡＳメッセージは、例えば、移動デバイス３をＭＭＥ９に登録するための制御データから成る複数のＮＡＳメッセージを含んでよい。
【００４０】
使用タイプ関連付けモジュール４９は、この移動デバイス３に関連付けられた使用タイプについての情報を記憶する。例えば、この使用タイプは、「ＵＥ使用タイプ」パラメータの形態で記憶されてよい。この記憶された使用タイプ情報に基づいて、使用タイプ関連付けモジュール４９は、ＲＲＣモジュール４４が、基地局５とのランダムアクセス手順を開始する適切なプリアンブルを選択することを支援する。
【００４１】
基地局
図３は、図１に示される複数の基地局５のうちの１つの基地局の複数の主要コンポーネントを示すブロック図である。示されるように、基地局５は、１つ以上のアンテナ５３を介して移動デバイス３に対し信号を送受信するためのトランシーバ回路５１と、他の複数の基地局に対し信号を送受信するための基地局インターフェース（Ｘ２）５４と、複数のコアネットワークエンティティ（例えば、ＭＭＥ９及びＳ−ＧＷ１８）に対し信号を送受信するためのコアネットワークインターフェース（Ｓ１）５５とを有する。基地局５は、基地局５の動作を制御するコントローラ５７を有する。コントローラ５７はメモリ５９に関連付けられる。図３には必ずしも示されていないが、基地局５は当然ながら、セルラ電話機ネットワーク基地局の全ての通常機能を有し、これは適宜、ハードウェア、ソフトウェア及びファームウェアのうちの任意の１つ又は任意の組み合わせによって提供されてよい。ソフトウェアはメモリ５９にプレインストールされてよく、及び／又は、例えば、通信ネットワーク１を介して又は取り外し可能なデータストレージデバイス（ＲＭＤ）からダウンロードされてよい。コントローラ５７は、この例では、メモリ５９内に記憶されたプログラム命令又はソフトウェア命令によって、基地局５の全体動作を制御するように構成される。示されるように、これらのソフトウェア命令は、中でも、オペレーティングシステム６１と、通信制御モジュール６３と、ＲＲＣモジュール６５と、Ｓ１ＡＰモジュール６７と、ＭＭＥ可用性情報記憶モジュール６９とを含む。
【００４２】
通信制御モジュール６３は、基地局５と、複数の移動デバイス３と、基地局５に接続された他の複数のネットワークエンティティ（例えば、ＭＭＥ９）との間の通信を制御する。通信制御モジュール６３は、例えば、複数のＮＡＳメッセージを再ルーティングするための制御データを含む、基地局５に関連付けられた移動デバイス３に送信されるべき、アップリンク／ダウンリンクユーザトラフィック及び制御データの別個のフローも制御する。
【００４３】
ＲＲＣモジュール６５は、ＲＲＣ規格に従ってフォーマットされた複数のシグナリングメッセージを生成、送信及び受信するように動作可能である。例えば、そのような複数のメッセージは、基地局５とこの基地局５に関連付けられた複数の移動デバイス３との間で交換される。複数のＲＲＣメッセージは、例えば、移動デバイス３とそのサービングＭＭＥ９との間で中継するための制御データ（例えば、複数のＮＡＳメッセージ）から成るＲＲＣメッセージを含んでよい。
【００４４】
Ｓ１ＡＰモジュール６７は、Ｓ１アプリケーションプロトコル（Ｓ１ＡＰ）規格に従ってフォーマットされた複数のシグナリングメッセージを生成、送信及び受信するように動作可能である。例えば、そのような複数のメッセージは、基地局５とこの基地局５に接続された複数のＭＭＥ９との間で交換される。複数のＳ１ＡＰメッセージは、例えば、複数のＮＡＳメッセージ再ルーティング要求（Reroute NAS message requests）、複数のダウンリンクＮＡＳトランスポートメッセージ（Downlink NAS transport messages）、複数のＳ１セットアップメッセージ及び関連付けられた複数の応答等の、ＮＡＳシグナリングの再ルーティングに関連する複数のメッセージを含んでよい。
【００４５】
ＭＭＥ可用性情報記憶モジュール６９は、複数の特定のＭＭＥ（又は複数のＭＭＥグループ）の可用性とあらゆる関連付けられた使用タイプとについての情報を記憶する。ＭＭＥ可用性情報記憶モジュール６９は、この情報を、他の複数のモジュール、例えば、ＮＡＳメッセージを再ルーティングすることに用いられるＳ１ＡＰモジュール６７に提供する。
【００４６】
移動管理装置
図４は、図１に示される複数のＭＭＥ９のうちの１つのＭＭＥの複数の主要コンポーネントを示すブロック図である。示されるように、ＭＭＥ９は、トランシーバ回路７１と、複数の基地局５に対し信号を送受信するための基地局インターフェース（Ｓ１）７４と、（ＨＳＳ１１等の）他の複数のコアネットワークノードに対し信号を送受信するためのコアネットワークインターフェース７５とを備える。ＭＭＥ９は、ＭＭＥ９の動作を制御するためのコントローラ７７を有する。コントローラ７７は、メモリ７９に関連付けられている。
【００４７】
ソフトウェアは、メモリ７９にプレインストールされてよく、及び／又は、例えば、通信ネットワーク１を介して若しくは取り外し可能なデータストレージデバイス（ＲＭＤ）からダウンロードされてよい。コントローラ７７は、この例では、メモリ７９に記憶されたプログラム命令又はソフトウェア命令によってＭＭＥ９の全体動作を制御するように構成される。示されるように、これらのソフトウェア命令は、中でも、オペレーティングシステム８１と、通信制御モジュール８３と、非アクセス層（ＮＡＳ）モジュール８５と、Ｓ１ＡＰモジュール８７と、使用タイプ関連付けモジュール８９とを含む。
【００４８】
通信制御モジュール８３は、ＭＭＥ９とこのＭＭＥ９に接続された他の複数のネットワークエンティティ（例えば、基地局５、ＨＳＳ１１、及び複数の基地局５のうちの１つに接続されるときの任意の複数の移動デバイス３）との間の通信を制御する。
【００４９】
ＮＡＳモジュール８５は、ＮＡＳプロトコルに従ってフォーマットされた複数のシグナリングメッセージを生成、送信及び受信するように動作可能である。例えば、そのような複数のメッセージは、ＭＭＥ９とこのＭＭＥ９に関連付けられた複数の移動デバイス３との間で（複数の基地局５を介して）交換される。複数のＮＡＳメッセージは、例えば、移動デバイス３をＭＭＥ９に登録するための制御データを含むＮＡＳメッセージを含むことができる。
【００５０】
Ｓ１ＡＰモジュール８７は、Ｓ１アプリケーションプロトコル（Ｓ１ＡＰ）規格に従ってフォーマットされた複数のシグナリングメッセージを生成、送信及び受信するように動作可能である。例えば、そのような複数のメッセージは、ＭＭＥ９とこのＭＭＥ９に接続された複数の基地局５との間で交換される。複数のＳ１ＡＰメッセージは、例えば、複数のＮＡＳメッセージ再ルーティング要求（Reroute NAS message requests）、複数のダウンリンクＮＡＳトランスポートメッセージ（Downlink NAS transport messages）、複数のＳ１セットアップメッセージ、及び関連付けられた複数の応答等の、ＮＡＳシグナリングの再ルーティングに関連する複数のメッセージを含んでよい。
【００５１】
使用タイプ関連付けモジュール８９は、このＭＭＥ９に関連付けられた使用タイプ（ら）についての情報を記憶する。例えば、使用タイプは、「ＵＥ使用タイプ」パラメータ及び／又はＭＭＥグループ識別子（ＭＭＥＧＩ）の形態で記憶されてよい。
【００５２】
上記の説明において、理解を容易にするために、移動デバイス３、基地局５、及びＭＭＥ９は、複数の個別のモジュール（複数の通信制御モジュール、複数のＲＲＣ／ＮＡＳモジュール、及び複数のＳ１ＡＰモジュール等）を有するものとして説明した。これらのモジュールは、幾つかの応用形態の場合、例えば、本発明を実施するために既存のシステムが変更された場合には、このようにして設けられてよいが、他の応用形態、例えば、最初から本発明の特徴を念頭に置いて設計されるシステムでは、これらのモジュールはオペレーティングシステム又はコード全体の中に組み込まれてよく、これらのモジュールは別個の実体として区別可能でない場合もある。これらのモジュールは、ソフトウェア、ハードウェア、ファームウェア又はこれらの組み合わせにおいて実施されてよい。
【００５３】
ここで、上記の移動デバイス３、基地局５、及びＭＭＥ９を用いて本発明の様々な態様をどのように実施することができるのかを例示する複数の異なる実施形態を説明する。実施形態を、図５〜図９に示すシグナリング（又は「タイミング」）図を参照して説明する。
【００５４】
動作−第１の実施形態
図５は、移動デバイス３の適切なＭＭＥ９を選択する際の移動デバイス３のサービスタイプについての情報を取得して用いる、基地局５の手順を示す一例示的なタイミング図を示している。
【００５５】
この実施形態では、基地局５は、当該基地局５とＭＭＥ９との間のＳ１接続を構成する初期セットアップ手順中に、接続されたＭＭＥ９のサポートサービスタイプ（ら）についての情報を取得するように構成されている。
【００５６】
具体的には、ステップＳ５００に示されるように、基地局５は、ＭＭＥ９から受信された適切にフォーマットされたＳ１メッセージ（「Ｓ１セットアップ応答」メッセージ又は「ＭＭＥ構成更新」メッセージ等）から、この情報を（自身のＳ１ＡＰモジュール６５を用いて）取得する。これらのメッセージの内容は、表１及び表２に（単なる例として）示されている。見て分かるように、この例では、ＭＭＥ９のＳ１セットアップ応答は、ＭＭＥ９に関連付けられた複数の構成パラメータを含む、適切にフォーマットされた情報要素（ＩＥ）を含む。これらの構成パラメータは、ＭＭＥ９によってサポートされるサービスタイプ（ら）を識別する情報から成る。各サービスタイプは、対応するＵＥ使用タイプから成り（及び／又は対応するＵＥ使用タイプにマッピングされ）、したがって、特定のＭＭＥのＵＥ使用タイプのリストは、そのＭＭＥが専用ＭＭＥとしてどのサービス（ら）／ＵＥ使用タイプ（ら）をサポートするのかを決定することが分かるだろう。
【００５７】
任意選択で、基地局５は、ＭＭＥ９Ｄの可用性、例えば、ＭＭＥ９Ｄが過負荷であるか否かを識別する情報も（自身のＳ１ＡＰモジュール６５を用いて）取得してよい。図５に示す例では、基地局５は、ＭＭＥ９Ｄが過負荷であることを示す適切にフォーマットされたＳ１メッセージを受信する。
【００５８】
基地局５は、自身のＭＭＥ可用性情報記憶モジュール６９に記憶されたエントリのリストに、各接続されたＭＭＥ９のエントリを、そのＭＭＥが現在利用可能であるか否かの適切な指示情報（及び、場合によっては特定のＭＭＥが利用不能である理由を識別する情報、例えば、接続されていない、過負荷である等を含む）とともに追加するように構成されている。各ＭＭＥ９について、ＭＭＥ可用性情報記憶モジュール６９は、複数の任意の関連付けられたＵＥ使用タイプ（利用可能である場合）を識別する情報も保持する。したがって、ステップＳ５０１においてそのメッセージを受信すると、基地局５は、ＭＭＥ９Ｄが新たな複数の移動デバイス３を現在登録することができないという情報を（自身のＭＭＥ可用性情報記憶モジュール６９に）記憶する。
【００５９】
このシステムでは、基地局５は、この基地局５によってサービングされる各移動デバイス３から、その特定の移動デバイス３に関連付けられたそれぞれのＵＥ使用タイプ／サービスタイプについての情報も（例えば、自身のＲＲＣモジュール６５を用いて）取得するように構成されているので有利である。この指示情報は、適宜、明示的なものであってもよく、暗黙的なものであってもよい。基地局５は、移動デバイス３の任意のＮＮＳＦ手順を実行する前に（すなわち、移動デバイス３から正しくない（又はデフォルト）ＭＭＥ９に任意のＮＡＳメッセージを転送する前に）、この情報を取得するように構成されているので有利である。
【００６０】
この例では、これは、異なるランダムアクセスプリアンブル（又は一組のプリアンブル）を異なるＵＥ使用グループに割り当てることによって暗黙的に実現される。基地局５は、ステップＳ５０２において、それぞれのＵＥ使用タイプ値と対応するプリアンブルとの間の関連付けを自身のセル内の複数の移動デバイス３に（例えば、システム情報ブロードキャストを介して）通知するように構成されている。
【００６１】
したがって、移動デバイス３Ｄは、この基地局５との無線接続を既に確立しているときは、（ステップＳ５０４において）適切なランダムアクセスプリアンブルを選択し、（ステップＳ５０５において）ランダムアクセス手順に関するメッセージに含めることによって、自身の関連付けられたＵＥ使用タイプを基地局５に通知することができる。
【００６２】
したがって、どのプリアンブルが、（ステップＳ５０５において）ランダムアクセス手順を実行する移動デバイス３によって用いられているのかを検出することによって、基地局５は、当該基地局５と移動デバイス３との間の無線接続のセットアップを完了する前であっても、移動デバイス３に関連付けられたＵＥ使用タイプを求めることができるので有利である。移動デバイス３は、基地局５に向けた追加のシグナリングを何ら必要とすることなく（及びコアネットワーク７とのシグナリングを何ら必要とすることなく）自身のＵＥ使用タイプを（暗黙的に）示すことができるので有利である。
【００６３】
ＭＭＥに関連付けられたサービスタイプ（ＵＥ使用タイプ）についての情報と、移動デバイス３から取得したＵＥ使用タイプ情報とを用いて、基地局は、ステップＳ５０９において、ＮＮＳＦをより効率的に実行し、（場合によっては、デフォルトＭＭＥ等のコアネットワークノードを何ら必要とすることなく）所与の移動デバイスの正しいＭＭＥを選択することができるので有利である。これによって、ひいては、移動デバイスがＭＭＥに登録される時間も削減することができる。
【００６４】
【表１】
2020162151.tif 000003
【００６５】
【表２】
2020162151.tif 000004
【００６６】
動作−第２の実施形態
図６及び図７は、ＮＡＳ再ルーティング手順中に、接続されたＭＭＥ９のサポートサービスタイプ（ら）についての情報を取得して用いる、基地局５の手順を示す例示的なタイミング図を示している。
【００６７】
基地局５は、各ＭＭＥ９とのそれぞれのＳ１接続を作成することによって、各ＭＭＥ９を用いてセットアップされているものと仮定する。基地局５は、自身のＭＭＥ可用性情報記憶モジュール６９に記憶されたエントリのリストに、各接続されたＭＭＥ９のエントリを、そのＭＭＥが現在利用可能であるか否かの適切な指示情報（及び、場合によっては特定のＭＭＥが利用不能である理由を識別する情報、例えば、接続されていない、過負荷である等を含む）とともに追加するように構成されている。各ＭＭＥ９について、ＭＭＥ可用性情報記憶モジュール６９は、複数のＵＥ使用タイプ（利用可能である場合）に対応する任意のサポートサービスタイプ（ら）を識別する情報も保持する。第１の実施形態において上述したように、サポートサービスタイプ（ら）は、（表１及び表２に示される任意の更なるＭＭＥ固有情報とともに）各接続されたＭＭＥから取得されてよいことが分かるだろう。
【００６８】
ステップＳ６００に一般的に示されるように、ＭＭＥ９Ｄは、最初に過負荷にあり、したがって、現在、複数の新たな移動デバイスを登録することができない。一方、図６に示される移動デバイス３Ｄは、このＭＭＥ９Ｄによってサポートされる使用タイプに対応する関連付けられた使用タイプを有する。
【００６９】
この手順は、移動デバイス３Ｄが、ステップＳ６０１において、ＮＡＳメッセージを生成し、（このＮＡＳメッセージを適切な専用ＭＭＥに中継する）自身のサービング基地局５に送信することから開始する。このＮＡＳメッセージは、アタッチ要求、追跡エリア更新（ＴＡＵ）、ロケーションエリア更新（ＬＡＵ）等から成ってよい。移動デバイス３Ｄは、（必要な場合には、適切なランダムアクセス手順を実行した後に）このＮＡＳメッセージを適したＲＲＣメッセージに組み込み、このＲＲＣメッセージをサービング基地局５に送信する。ステップＳ６０２において、基地局５は、受信したＲＲＣメッセージからＮＡＳメッセージを取り出し、このＮＡＳメッセージを適切にフォーマットされたＳ１メッセージに組み込み、その後、デフォルトＭＭＥ９Ａに送信する。
【００７０】
これに応答して、デフォルトＭＭＥ９Ａは、移動デバイス３Ｄに関連付けられたＵＥコンテキストを移動デバイス３Ｄの以前のサービングＭＭＥ９Ｃ（受信したＮＡＳメッセージにおいて、例えば、関連付けられたＧＵＴＩ及び／又はＧＵＭＭＥＩの形態で示される）から取得することを試みる。これを行うために、ＭＭＥ９Ａは、ステップＳ６０４において、適切にフォーマットされたコンテキスト要求メッセージを生成し、古いＭＭＥ９Ｃに送信する。古いＭＭＥ９Ｃは、ステップＳ６０６において、適切にフォーマットされたコンテキスト要求応答を生成してデフォルトＭＭＥ９Ａに送信することによって応答し、このＵＥコンテキストとこの移動デバイス３Ｄに関連付けられたＵＥ使用タイプ（最初はＨＳＳ１１から取得されたもの）を識別する情報とをこのメッセージに含める。
【００７１】
（ステップＳ６０６における）コンテキスト応答メッセージに含まれるＵＥ使用タイプに基づいて、デフォルトＭＭＥ９Ａは、移動デバイス３Ｄのメッセージのハンドリングを別のＭＭＥ（すなわち、このＵＥ使用タイプに関連付けられたＭＭＥ）に移すことを決定する。したがって、デフォルトＭＭＥ９Ａは、ステップＳ６１０に進む。
【００７２】
一方、その間に、ステップＳ６００における過負荷に従って、ＭＭＥ９Ｄは、ステップＳ６０８において、適切な過負荷表示メッセージを（自身のＳ１ＡＰモジュール８７を用いて）生成し、基地局５に送信する（ただし、ＭＭＥ９Ｄは、そのような指示情報を全ての基地局及び／又は他のＭＭＥにも同様に送信してもよい）。このメッセージを受信すると、基地局５は、自身のＭＭＥ可用性情報記憶モジュール６９にこのＭＭＥ９Ｄについて保持されたエントリを、ＭＭＥ９Ｄが過負荷に起因して利用不能であるという情報を用いて更新する。ステップＳ６０８は、アタッチ／ＴＡＵ要求メッセージ及び複数のコンテキスト要求／コンテキスト応答メッセージに続いて行われるものとして示されているが、過負荷指示情報は、ステップＳ６０１〜Ｓ６０６から独立している。したがって、ステップＳ６０８は、ステップＳ６００に続く任意の時点に（例えば、ステップＳ６０１の前であっても）行ってよいことが分かるだろう。
【００７３】
ステップＳ６１０において、デフォルトＭＭＥ９Ａは、移動デバイス３Ｄによって送信されたＮＡＳメッセージを再ルーティングするように基地局５に要求する、適切にフォーマットされたＳ１シグナリングメッセージを（自身のＳ１ＡＰモジュール８７を用いて）生成し、基地局５に送信する。図６に示されるように、このＮＡＳメッセージ再ルーティング要求（Reroute NAS message request）は、移動デバイス３Ｄからの当初の（変更されていない）ＮＡＳメッセージ；再ルーティングパラメータを識別する情報（例えば、ＮＡＳメッセージを再ルーティングする必要があるＭＭＥグループ識別子（「ＭＭＥＧＩ」）；移動デバイス３Ｄに関連付けられたグローバル一意一時識別子（「ＧＵＴＩ」）；（例えば、グローバル一意ＭＭＥ識別子「ＧＵＭＭＥＩ」によって）送信側ＭＭＥ９Ａを識別する情報；及び／又は移動デバイス３Ｄに関連付けられたサービスタイプを識別する情報（例えば、Ｓ６０６において受信されたＵＥコンテキスト応答に示されるＵＥ使用タイプ）を含む。
【００７４】
この例では、移動デバイス３Ｄに関連付けられたＵＥ使用タイプは、専用ＭＭＥ９Ｄ（Ｓ６１０においてＭＭＥＧＩによって識別されたグループに属する）によってサポートされる。一方、ＭＭＥ９Ｄは、現在過負荷を受けている（及び、ステップＳ６０８において、この過負荷状況を基地局５に既に通知している）。
【００７５】
したがって、基地局５は、ステップＳ６１２において、移動デバイス３Ｄによって送信されたＮＡＳメッセージを再ルーティングすることができないことを示す、適切にフォーマットされたＳ１応答を（自身のＳ１ＡＰモジュール６７を用いて）生成し、デフォルトＭＭＥ９Ａに送信する。基地局５は、このメッセージ（例えば、「ＮＡＳメッセージ再ルーティング失敗（Reroute NAS message failure）」メッセージ）に、移動デバイス３Ｄによって送信されたＮＡＳメッセージが再ルーティングされえない要因を識別する情報も含める。この場合、基地局５は、専用ＭＭＥ９Ｄが過負荷であることを示す。その上、ステップＳ６１０において受信された同じＭＭＥＧＩを含めることによって、基地局５は、（少なくとも専用ＭＭＥ９Ｄが依然として過負荷である限り）ＮＡＳメッセージを再び再ルーティングしないようにデフォルトＭＭＥ９Ａに要求することができる。
【００７６】
デフォルトＭＭＥ９Ａは、ステップＳ６０６において受信されたＵＥコンテキストを記憶しているので、したがって、移動デバイス３Ｄの登録及びサービングを試みることができるので有利である。デフォルトＭＭＥ９Ａは、移動デバイス３Ｄを登録することができる場合、次に、ステップＳ６１６において、移動デバイス３ＤをこのＭＭＥ９Ａに登録することに成功したことを基地局５に対して確認する適切なシグナリングメッセージを生成して送信する。基地局５は、（ステップＳ６１７において）選択されたサービングＭＭＥ９Ａを移動デバイス３Ｄに通知し、（ステップＳ６１８において）ＭＭＥ９Ａのメッセージの受信を確認する。
【００７７】
図７は、専用ＭＭＥ９Ｄがもはや過負荷でないシナリオを示している。
【００７８】
ステップＳ７００に一般的に示されるように、移動デバイス３Ｄは、適切にフォーマットされたＲＲＣメッセージ（例えば、適切なＭＭＥ９に転送するための初期ＵＥメッセージを含むＲＲＣメッセージ）を基地局５に送信することによって手順を開始する。移動デバイス３Ｄのメッセージは、ＭＭＥ９に転送されるＮＡＳメッセージと、移動デバイス３Ｄに関連付けられたＧＵＴＩ（ＮＡＳメッセージの送信者を識別する）とを含む。
【００７９】
ステップＳ７０２〜Ｓ７０６は、ステップＳ６０２〜Ｓ６０６にそれぞれ対応し、このため、それらの説明を、簡単にするためにここでは省略する。
【００８０】
一方、この場合、関連付けられた専用ＭＭＥ９Ｄ（Ｓ７１０におけるグループＭＭＥＧＩに属する）は、（基地局５のＭＭＥ可用性情報記憶モジュール６９に保持された情報に従って）利用可能である。したがって、デフォルトＭＭＥ９Ａが、ステップＳ７１０において、移動デバイス３ＤのＮＡＳメッセージの再ルーティングを開始する適切なＳ１要求を生成し、このメッセージにおけるＭＭＥＧＩによって識別されるグループ内の専用ＭＭＥに送信すると、サービング基地局５は、この要求に応じることができる。
【００８１】
したがって、基地局５は、ステップＳ７１５において、適切にフォーマットされたＳ１シグナリングメッセージを（自身のＳ１ＡＰモジュール６７を用いて）生成し、専用ＭＭＥ９Ｄに送信する。基地局５は、このＳ１メッセージに、移動デバイス３ＤからのＮＡＳメッセージ（初期ＵＥメッセージ）と、移動デバイス３ＤのＧＵＴＩとを含める。
【００８２】
専用ＭＭＥ９Ｄは、移動デバイス３Ｄを登録することができる場合、次に、ステップＳ７１６において、移動デバイス３ＤをこのＭＭＥ９Ｄに登録することに成功したことを基地局５に対して確認する、適切なシグナリングメッセージを生成して送信する。基地局５は、（ステップＳ７１７において）移動デバイス３Ｄに選択されたサービングＭＭＥ９Ｄを通知し、（ステップＳ７１８において）アタッチ手順が完了したことをＭＭＥ９Ｄに対して確認する。
【００８３】
ステップＳ７２２において、基地局５は、適切なＳ１メッセージ（例えば、「ＮＡＳメッセージ再ルーティング応答（Reroute NAS message response）」メッセージ）を生成して送信することによって、ＮＡＳメッセージをリダイレクトすることに成功したことをデフォルトＭＭＥ９Ａに対して確認する。基地局５は、このメッセージに、移動デバイス３ＤのＵＥコンテキストに関連付けられた複数のパラメータ（例えば、関連付けられたＳ−ＴＭＳＩ、及び「ｅＮＢ  ＵＥ  Ｓ１ＡＰ  ＩＤ」）も含める。
【００８４】
ＮＡＳの再ルーティングが成功したことの確認と、移動デバイス３ＤのＵＥコンテキストに関連付けられた複数のパラメータとに基づいて、デフォルトＭＭＥ９Ａは、ステップＳ７２４において、この移動デバイス３Ｄについて自身のメモリ７９に記憶されたあらゆるＵＥコンテキストを削除する。
【００８５】
ＮＡＳメッセージの再ルーティングが可能である場合（すなわち、専用ＭＭＥ９Ｄが過負荷でないとき）、デフォルトＭＭＥ９Ａは、不要なＵＥコンテキストを記憶する必要がないので有利である。しかしながら、デフォルトＭＭＥ９Ａは、（ステップＳ７１０における）ＮＡＳメッセージ再ルーティング要求の送信時ではなく、（ステップＳ７２２における）基地局５からの確認の受信時に、記憶したＵＥコンテキストのみを削除する。換言すれば、デフォルトＭＭＥ９Ａは、この手順が成功したとみなされる前に、ＮＡＳメッセージ再ルーティング要求を、肯定的確認を必要とする手順として扱う（すなわち、ＭＭＥは、この手順を成功したものと自動的にみなさない）。
【００８６】
動作−第３の実施形態
図８及び図９は、ダウンリンクＮＡＳトランスポートメッセージ（又は別の適したＳ１ＡＰメッセージ）を用いて、接続されたＭＭＥ９のサポートサービスタイプ（ら）についての情報を取得して用いる基地局５の手順を示す例示的なタイミング図を示している。
【００８７】
図８は図６に概ね対応し、図９は図７に概ね対応する。ただし、メッセージのうちの幾つかは、明瞭にするために省略されている。主な相違は、図８及び図９では、いわゆる「ダウンリンクＮＡＳトランスポート」要求（ステップＳ８１０及びＳ９１０におけるもの）及び対応する「ダウンリンクＮＡＳトランスポート失敗」（ステップＳ８１２におけるもの）又は「ダウンリンクＮＡＳトランスポート応答」（ステップＳ９２２におけるもの）が、それぞれ「ＮＡＳメッセージ再ルーティング要求」（ステップＳ６１０及びＳ７１０におけるもの）、「ＮＡＳメッセージ再ルーティング失敗」（ステップＳ６１２におけるもの）又は「ＮＡＳメッセージ再ルーティング応答」（ステップＳ７２２）の代わりに用いられるということである。
【００８８】
この解決策に伴う利点は、「ＮＡＳメッセージ再ルーティング要求」を送信するＭＭＥが、（現行のＬＴＥ規格に従って）このメッセージに対する応答を現在のところ予期していないということである。したがって、幾つかのＭＭＥ（例えば、ＬＴＥ規格の以前のリリースを実施するＭＭＥ）は、通常ならば専用ＭＭＥ９Ｄに登録する必要がある移動デバイス３Ｄを登録する（ステップＳ６１２における）基地局要求に応じることができない場合がある。
【００８９】
一方、図８及び図９において用いられる「ダウンリンクＮＡＳトランスポート」要求は、応答（成功又は失敗）を常に必要とし、したがって、ＭＭＥは、このメッセージ（及び／又はこのメッセージに含まれる複数の任意のパラメータ）の基地局応答を理解することができる可能性がより高い。
【００９０】
変更形態及び代替形態
上記で詳細な実施形態を説明した。当業者であれば分かるように、上記の実施形態において具現される発明から依然として利益を享受しながら、上記の実施形態に対して複数の変更形態及び代替形態を実施することができる。例示としてのみ、ここで、これらの代替形態及び変更形態のうちの幾つかを説明する。
【００９１】
上記の実施形態では、移動デバイスはセルラ電話機である。上記の実施形態は、例えば、複数の携帯情報端末、複数のラップトップコンピュータ、複数のウェブブラウザ等の複数の移動電話機以外の複数のデバイスを用いて実施され得ることが分かるだろう。上記の実施形態は、非移動型又は概ね固定式のユーザ機器にも適用可能である。
【００９２】
上記の実施形態は、例示の目的のみでＭＭＥを用いて説明され、いかなる形においても、本発明を、ＭＭＥ及び／又はＬＴＥコアネットワークを必要とするように限定するとみなされるものではない。例えば、ＳＧＳＮをＭＭＥの代わりに用いてよい。この場合、適切なＳＧＳＮグループ識別子を、上記のステップＳ６１０／Ｓ７１０／Ｓ８１０／Ｓ９１０において説明したＭＭＥＧＩの代わりに用いてよい。本発明の実施形態は、ユーザ機器が複数の専用ネットワークノードに接続することが必要とされる他の（３ＧＰＰ及び／又は非３ＧＰＰ）規格によるシステムにも適用可能である。
【００９３】
上記説明では、ＭＭＥは、ＮＡＳメッセージの要求された再ルーティングが成功したことの基地局からの確認を受信すると、記憶したＵＥコンテキストを削除する。明示的な確認（成功／失敗）を必要とするそのような手順は、ＬＴＥではクラス１手順と呼ばれることが多いことが分かるだろう。これとは対照的に、いずれの確認も必要としない手順は、成功したものと自動的にみなす。そのような手順は、ＬＴＥではクラス２手順と呼ばれる。上記実施形態は、基地局が、要求側ＭＭＥに、ＮＡＳメッセージの再ルーティングが可能であるか否かを応答する（及び可能でない場合には理由を示す）ことができるようにクラス１手順を用いるのが有利である。
【００９４】
第１の実施形態の上記説明では、移動デバイスは、適切なランダムアクセスプリアンブルを選択して基地局に送信することによって、自身が関連付けられたサービスタイプ／ＵＥ使用タイプを暗黙的に示すように構成されている。ただし、移動デバイスは、適切に構成された低アクセス優先度指示情報（ＬＡＰＩ）シグナリングを用いて基地局にこの情報も提供してもよいことが分かるだろう。その上、移動デバイスは、自身が関連付けられたＵＥ使用タイプを、（例えば、ステップＳ５０７において）基地局に送信されるその初期アタッチ要求メッセージにおいて（明示的に）示すように構成されてよい。移動デバイスは、（例えば、「ＲＲＣＣｏｎｎｅｃｔｉｏｎＲｅｑｕｅｓｔ（ＲＲＣ接続要求）」メッセージを用いて）ＲＲＣ接続確立を要求するときに、例えば、適切にフォーマットされた確立要因をシグナリングメッセージに含めることによって、自身が関連付けられたＵＥ使用タイプをこのシグナリングメッセージにおいて示すように構成されてもよい。例えば、移動デバイスは、自身が関連付けられたＵＥ使用タイプを示すように既存の「遅延ＴｏｌｅｒａｎｔＡｃｃｅｓｓ−ｖ１０２０」確立要因を適合してもよく、特定のＵＥ使用タイプを示すのに適した他の任意の（新たな）確立要因を用いてもよい。
【００９５】
上記実施形態では、サービング基地局は、専用ＭＭＥの過負荷の場合にデフォルトＭＭＥを選択すると説明した。しかしながら、基地局は、事業者の構成に応じて、デフォルトＭＭＥの代わりに、異なるＭＭＥ（例えば、共通のＭＭＥ）を選択してもよいことが分かるだろう。そのような選択構成は、ＵＥ使用タイプ／ＭＭＥＧＩ／ＭＭＥごと等で適用されてよい。基地局は、デフォルトＭＭＥと異なるＭＭＥを選択するように構成されている場合、（ステップＳ６１２又はＳ８１２におけるようにデフォルトＭＭＥに応答する代わりに）適切なＳ１メッセージを生成し、選択されたＭＭＥに送信してよく、このメッセージに、移動デバイスのＮＡＳメッセージと、専用ＭＭＥを用いることができない理由を識別する情報（例えば、ステップＳ６１２におけるメッセージに含まれる情報）とを含めてよい。
【００９６】
上記の実施形態は、ＤＣＮが幾つかの（ただし全てではない）ＲＡＴについてのみ、及び／又はネットワーク内の特定のエリアについてのみ配置されているとき、異種の／部分的ＤＣＮ配置にも適用されてもよいことが分かるだろう。この場合、基地局及びＭＭＥは、ＵＥが特定のサービスエリアの中にあるか又は外にあるか、又はＤＣＮをサポートするＲＡＴを考慮に入れるように構成されてよい。
【００９７】
上記の実施形態では、複数のソフトウェアモジュールを説明した。当業者であれば分かるように、それらのソフトウェアモジュールは、コンパイル済みの形式又は未コンパイルの形式において与えられてよく、コンピュータネットワークを介して信号として、又は記録媒体において基地局又はＭＭＥに供給されてよい。さらに、このソフトウェアの一部又は全部によって実行される機能は、１つ以上の専用のハードウェア回路を用いて実行されてもよい。しかしながら、ソフトウェアモジュールの使用によって、基地局、ＭＭＥ、及び移動デバイスの機能を更新するために当該基地局、ＭＭＥ、及び移動デバイスを更新することが容易になるため、ソフトウェアモジュールの使用が好ましい。
【００９８】
通信装置のトランシーバは、上記専用ＭＭＥの通信負荷を識別する情報を上記専用ＭＭＥから受信するように動作可能とされてよく、上記コントローラは、上記専用ＭＭＥの通信負荷を識別する上記情報に基づいて、上記専用ＭＭＥが、通信接続を確立する上記シグナリングを送信した上記通信デバイスをサービングすることに適しているか否かを判断するように動作可能である。この場合、通信装置のトランシーバは、上記専用ＭＭＥの通信負荷を識別する上記情報が関係するサービスタイプを識別する情報を、上記専用ＭＭＥから受信するように動作可能であってよい。
【００９９】
通信装置のトランシーバは、上記専用ＭＭＥの通信負荷を識別する上記情報が関係するサービスタイプを識別する上記情報を含むＭＭＥ過負荷メッセージを、上記専用ＭＭＥから受信するように動作可能であってよい。
【０１００】
専用ＭＭＥを識別するメッセージは、ＮＡＳメッセージ再ルーティング要求及びダウンリンクＮＡＳトランスポート要求のうちの少なくとも一方から成ってよい。上記デフォルトＭＭＥへの応答は、ＮＡＳメッセージ再ルーティング失敗及びダウンリンクＮＡＳトランスポート失敗のうちの少なくとも一方から成ってよい。上記デフォルトＭＭＥへの応答は、上記専用ＭＭＥへの上記再ルーティングが（例えば、上記専用ＭＭＥの負荷に起因して）不成功である要因を識別する情報を含んでよい。
【０１０１】
通信装置のトランシーバは、上記通信装置を介して通信接続を確立するシグナリングを上記通信セル内の少なくとも１つの通信デバイスから受信するように動作可能であってよく、上記通信接続を確立するシグナリングは、上記少なくとも１つの通信デバイスに関連付けられた使用タイプを識別する情報から成る。この場合、通信装置のコントローラは、上記使用タイプを識別する情報と、上記少なくとも１つのサポートサービスタイプを識別する上記それぞれの情報とに基づいて、少なくとも１つのＭＭＥであって、当該ＭＭＥによってサポートされる少なくとも１つのサービスタイプに対応する使用タイプを有する通信デバイスをサポートする、少なくとも１つのＭＭＥを識別するように動作可能であってよい。
【０１０２】
（通信装置の）コントローラは、上記通信接続を、上記少なくとも１つのＭＭＥによってサポートされる少なくとも１つのサービスタイプに対応する使用タイプを有する通信デバイスをサポートする当該少なくとも１つのＭＭＥにルーティングするように動作可能であってよい。
【０１０３】
（通信装置の）トランシーバは、Ｓ１セットアップ応答メッセージ及びＭＭＥ構成更新メッセージのうちの少なくとも一方を用いて、特定のＭＭＥに関連付けられたグループを識別する上記情報と、その特定のＭＭＥの上記少なくとも１つのサポートサービスタイプを識別する上記情報とを受信するように動作可能であってよい。
【０１０４】
特定のＭＭＥの上記少なくとも１つのサポートサービスタイプを識別する情報は、少なくとも情報要素（例えば、「サービスタイプリスト」情報要素、「ＵＥサービスタイプ」情報要素、及び／又は「ＵＥ使用タイプ」情報要素）から成ってよい。
【０１０５】
（通信装置の）トランシーバは、上記少なくとも１つのＭＭＥの通信負荷を識別する情報を受信するように動作可能であってよい。
【０１０６】
上記通信デバイスに関連付けられた使用タイプを識別する情報は、低アクセス優先度指示情報（ＬＡＰＩ）及び／又は接続確立要因（例えば、「ＲＲＣＣｏｎｎｅｃｔｉｏｎＲｅｑｕｅｓｔ」メッセージにおけるもの）から成ってよい。
【０１０７】
上記通信デバイスに関連付けられた上記使用タイプを識別する情報は、その使用タイプに関連付けられたランダムアクセスプリアンブルから成ってよい。通信装置は、少なくとも１つのサポートサービスタイプを識別する情報と、少なくとも１つのサポートサービスタイプに関連付けられたそれぞれの一組のランダムアクセスプリアンブルとを、上記通信セル内に（例えば、システムブロードキャストを介して）送信するように動作可能であってよい。この場合、（通信デバイスの）トランシーバは、少なくとも１つのサポートサービスタイプを識別する情報と、その少なくとも１つのサポートサービスタイプに関連付けられたそれぞれの一組のランダムアクセスプリアンブルとを上記通信装置から（例えば、システムブロードキャストを介して）受信するように動作可能であってよく、上記コントローラは、上記受信した少なくとも１つのサポートサービスタイプを識別する情報と、その少なくとも１つのサポートサービスタイプに関連付けられたそれぞれの一組のランダムアクセスプリアンブルとに基づいて、上記トランシーバによる送信のためのプリアンブルを選択するように動作可能である。
【０１０８】
ＭＭＥは、関連付けられた使用タイプを有する上記通信デバイスに関連付けられたＵＥコンテキストを記憶するように構成されたメモリと、（ａ）上記応答が、上記専用ＭＭＥへの再ルーティングが不成功であることを示しているときは、上記関連付けられた使用タイプを有する通信デバイスに関連付けられた上記ＵＥコンテキストが上記メモリに保持されるように、及び（ｂ）上記応答が、上記専用ＭＭＥへの再ルーティングが成功していることを示しているときは、上記関連付けられた使用タイプを有する通信デバイスに関連付けられた上記ＵＥコンテキストが上記メモリに保持されないように、上記メモリを制御するように動作可能なプロセッサと、を更に備えてよい。
【０１０９】
種々の他の変更形態は当業者には明らかであり、ここでは、これ以上詳しくは説明しない。
【０１１０】
この出願は、２０１５年８月１４日に出願された英国特許出願第１５１４５４０．２号を基礎とする優先権を主張し、その開示の全てをここに取り込む。
【図１】
2020162151.tif 000005
【図２】
2020162151.tif 000006
【図３】
2020162151.tif 000007
【図４】
2020162151.tif 000008
【図５】
2020162151.tif 000009
【図６】
2020162151.tif 000010
【図７】
2020162151.tif 000011
【図８】
2020162151.tif 000012
【図９】
2020162151.tif 000013